【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
画像情報と、該画像情報に付加された付加情報を印刷手段により１つの印刷媒体上に印刷させる情報処理装置であって、
複数の前記付加情報のうちから、前記印刷媒体上に印刷させる付加情報をユーザーにより選択可能とするための選択手段と、
前記印刷媒体上の前記付加情報が印刷されるべき領域内に前記選択手段により選択された付加情報が印刷されるように、前記付加情報の文字のサイズを自動的に調整する調整手段と、
を具備することを特徴とする情報処理装置。
【請求項２】
前記選択手段は、画面上に前記複数の付加情報のリストを表示させ、該付加情報のリストから、ユーザーに付加情報を選択させることを特徴とする請求項１に記載の情報処理装置。
【請求項３】
前記調整手段により調整された文字のサイズが所定サイズより小さくなる場合に、警告メッセージを表示する表示手段をさらに具備することを特徴とする請求項１または２に記載の情報処理装置。
【請求項４】
前記所定サイズをユーザーにより設定可能とするサイズ設定手段をさらに具備することを特徴とする請求項３に記載の情報処理装置。
【請求項５】
前記文字のサイズを所定サイズ以上の大きさに保った状態で、前記印刷媒体上の前記付加情報が印刷されるべき領域内に印刷可能な付加情報の数を表示する表示手段をさらに具備することを特徴とする請求項１ないし４のいずれか１項に記載の情報処理装置。
【請求項６】
前記調整手段により調整された文字のサイズが所定サイズより小さくなる場合に、前記選択手段により選択された付加情報の数を減少させる付加情報数調整手段をさらに具備することを特徴とする請求項１ないし５のいずれか１項に記載の情報処理装置。
【請求項７】
前記付加情報数調整手段は、前記付加情報の優先度に基づいて、前記選択手段により選択された付加情報の数を減少させることを特徴とする請求項６に記載の情報処理装置。
【請求項８】
前記印刷手段の解像度に基づいて、前記所定サイズを変更する所定サイズ変更手段をさらに具備することを特徴とする請求項３に記載の情報処理装置。
【請求項９】
前記調整手段により文字のサイズが調整された前記付加情報の印刷プレビュー画面を表示する表示手段をさらに具備することを特徴とする請求項１ないし６のいずれか１項に記載の情報処理装置。
【請求項１０】
画像情報と、該画像情報に付加された付加情報を印刷手段により１つの印刷媒体上に印刷させる情報処理方法であって、
複数の前記付加情報のうちから、前記印刷媒体上に印刷させる付加情報をユーザーにより選択可能とする画面を表示する第１の表示工程と、
前記印刷媒体上の前記付加情報が印刷されるべき領域内にユーザーにより選択された全ての付加情報が印刷されるように、前記付加情報の文字のサイズを自動的に調整する調整工程と、
を具備することを特徴とする情報処理方法。
【請求項１１】
前記表示工程では、前記画面上に前記複数の付加情報のリストを表示し、該付加情報のリストから、ユーザーに付加情報を選択させることを特徴とする請求項１０に記載の情報処理方法。
【請求項１２】
請求項１０又は１１に記載の情報処理方法をコンピュータに実行させるためのプログラム。
【請求項１３】
請求項１２に記載のプログラムを記憶したコンピュータ読み取り可能な記憶媒体。
【請求項１４】
画像情報と、該画像情報に付加された付加情報を印刷手段により１つの印刷媒体上に印刷させる情報処理装置であって、
複数の前記付加情報のうちから、前記印刷媒体上に印刷させる付加情報をユーザーにより選択可能とするための選択手段と、
前記印刷媒体上の前記付加情報が印刷されるべき領域内に前記選択手段により選択された付加情報が印刷されるように、前記付加情報の文字の配置を自動的に調整する調整手段と、
を具備することを特徴とする情報処理装置。
【請求項１５】
前記調整手段は、前記選択手段で選択された付加情報の数に応じて、前記付加情報が印刷される領域内の段組数を変更可能とすることを特徴とする請求項１４に記載の情報処理装置。
【請求項１６】
画像情報と、該画像情報に付加された付加情報を印刷手段により１つの印刷媒体上に印刷させる情報処理装置であって、
複数の前記付加情報のうちから、前記印刷媒体上に印刷させる付加情報をユーザーにより選択可能とするための選択手段と、
前記印刷媒体上に前記選択手段により選択された付加情報が印刷されるように、印刷される前記画像情報の大きさを自動的に調整する調整手段と、
を具備することを特徴とする情報処理装置。
【請求項１７】
画像情報と、該画像情報に付加された付加情報を印刷手段により１つの印刷媒体上に印刷させる情報処理装置であって、
複数の前記付加情報のうちから、前記印刷媒体上に印刷させる付加情報をユーザーにより選択可能とするための選択手段と、
前記画像情報を印刷する大きさと、前記付加情報を印刷する文字の大きさを指定する指定手段と、
前記印刷媒体上に、前記画像情報と、前記選択手段により選択された付加情報とを印刷する配置を自動的に調整する配置調整手段と、
を具備することを特徴とする情報処理装置。
【請求項１８】
画像情報と、該画像情報に付加された付加情報を印刷手段により１つの印刷媒体上に印刷させる情報処理方法であって、
複数の前記付加情報のうちから、前記印刷媒体上に印刷させる付加情報をユーザーにより選択可能とするための選択工程と、
前記印刷媒体上の前記付加情報が印刷されるべき領域内に前記選択工程において選択された付加情報が印刷されるように、前記付加情報の文字の配置を自動的に調整する調整工程と、
を具備することを特徴とする情報処理方法。
【請求項１９】
画像情報と、該画像情報に付加された付加情報を印刷手段により１つの印刷媒体上に印刷させる情報処理方法であって、
複数の前記付加情報のうちから、前記印刷媒体上に印刷させる付加情報をユーザーにより選択可能とするための選択工程と、
前記印刷媒体上に前記選択工程において選択された付加情報が印刷されるように、印刷される前記画像情報の大きさを自動的に調整する調整工程と、
を具備することを特徴とする情報処理方法。
【請求項２０】
画像情報と、該画像情報に付加された付加情報を印刷手段により１つの印刷媒体上に印刷させる情報処理方法であって、
複数の前記付加情報のうちから、前記印刷媒体上に印刷させる付加情報をユーザーにより選択可能とするための選択工程と、
前記画像情報を印刷する大きさと、前記付加情報を印刷する文字の大きさを指定する指定工程と、
前記印刷媒体上に、前記画像情報と、前記選択工程において選択された付加情報とを印刷する配置を自動的に調整する配置調整工程と、
を具備することを特徴とする情報処理方法。
【手続補正２】
【補正対象書類名】明細書
【補正対象項目名】００１２
【補正方法】変更
【補正の内容】
【００１２】
上述した課題を解決し、目的を達成するために、本発明に係わる情報処理装置は、画像情報と、該画像情報に付加された付加情報を印刷手段により１つの印刷媒体上に印刷させる情報処理装置であって、複数の前記付加情報のうちから、前記印刷媒体上に印刷させる付加情報をユーザーにより選択可能とするための選択手段と、前記印刷媒体上の前記付加情報が印刷されるべき領域内に前記選択手段により選択された付加情報が印刷されるように、前記付加情報の文字のサイズを自動的に調整する調整手段と、を具備することを特徴とする。
【手続補正３】
【補正対象書類名】明細書
【補正対象項目名】００１３
【補正方法】変更
【補正の内容】
【００１３】
また、本発明に係わる情報処理方法は、画像情報と、該画像情報に付加された付加情報を印刷手段により１つの印刷媒体上に印刷させる情報処理方法であって、複数の前記付加情報のうちから、前記印刷媒体上に印刷させる付加情報をユーザーにより選択可能とする画面を表示する第１の表示工程と、前記印刷媒体上の前記付加情報が印刷されるべき領域内にユーザーにより選択された全ての付加情報が印刷されるように、前記付加情報の文字のサイズを自動的に調整する調整工程と、を具備することを特徴とする。
【手続補正４】
【補正対象書類名】明細書
【補正対象項目名】００１６
【補正方法】変更
【補正の内容】
【００１６】
また、本発明に係わる情報処理装置は、画像情報と、該画像情報に付加された付加情報を印刷手段により１つの印刷媒体上に印刷させる情報処理装置であって、複数の前記付加情報のうちから、前記印刷媒体上に印刷させる付加情報をユーザーにより選択可能とするための選択手段と、前記印刷媒体上の前記付加情報が印刷されるべき領域内に前記選択手段により選択された付加情報が印刷されるように、前記付加情報の文字の配置を自動的に調整する調整手段と、を具備することを特徴とする。
【手続補正５】
【補正対象書類名】明細書
【補正対象項目名】００１７
【補正方法】変更
【補正の内容】
【００１７】
また、本発明に係わる情報処理装置は、画像情報と、該画像情報に付加された付加情報を印刷手段により１つの印刷媒体上に印刷させる情報処理装置であって、複数の前記付加情報のうちから、前記印刷媒体上に印刷させる付加情報をユーザーにより選択可能とするための選択手段と、前記印刷媒体上に前記選択手段により選択された付加情報が印刷されるように、印刷される前記画像情報の大きさを自動的に調整する調整手段と、を具備することを特徴とする。
【手続補正６】
【補正対象書類名】明細書
【補正対象項目名】００１８
【補正方法】変更
【補正の内容】
【００１８】
また、本発明に係わる情報処理装置は、画像情報と、該画像情報に付加された付加情報を印刷手段により１つの印刷媒体上に印刷させる情報処理装置であって、複数の前記付加情報のうちから、前記印刷媒体上に印刷させる付加情報をユーザーにより選択可能とするための選択手段と、前記画像情報を印刷する大きさと、前記付加情報を印刷する文字の大きさを指定する指定手段と、前記印刷媒体上に、前記画像情報と、前記選択手段により選択された付加情報とを印刷する配置を自動的に調整する配置調整手段と、
を具備することを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】変更
【補正の内容】
【００２１】
また、本発明に係わる情報処理方法は、画像情報と、該画像情報に付加された付加情報を印刷手段により１つの印刷媒体上に印刷させる情報処理方法であって、複数の前記付加情報のうちから、前記印刷媒体上に印刷させる付加情報をユーザーにより選択可能とするための選択工程と、前記印刷媒体上の前記付加情報が印刷されるべき領域内に前記選択工程において選択された付加情報が印刷されるように、前記付加情報の文字の配置を自動的に調整する調整工程と、を具備することを特徴とする。
【手続補正１０】
【補正対象書類名】明細書
【補正対象項目名】００２２
【補正方法】変更
【補正の内容】
【００２２】
また、本発明に係わる情報処理方法は、画像情報と、該画像情報に付加された付加情報を印刷手段により１つの印刷媒体上に印刷させる情報処理方法であって、複数の前記付加情報のうちから、前記印刷媒体上に印刷させる付加情報をユーザーにより選択可能とするための選択工程と、前記印刷媒体上に前記選択工程において選択された付加情報が印刷されるように、印刷される前記画像情報の大きさを自動的に調整する調整工程と、を具備することを特徴とする。
【手続補正１１】
【補正対象書類名】明細書
【補正対象項目名】００２３
【補正方法】変更
【補正の内容】
【００２３】
また、本発明に係わる情報処理方法は、画像情報と、該画像情報に付加された付加情報を印刷手段により１つの印刷媒体上に印刷させる情報処理方法であって、複数の前記付加情報のうちから、前記印刷媒体上に印刷させる付加情報をユーザーにより選択可能とするための選択工程と、前記画像情報を印刷する大きさと、前記付加情報を印刷する文字の大きさを指定する指定工程と、前記印刷媒体上に、前記画像情報と、前記選択工程において選択された付加情報とを印刷する配置を自動的に調整する配置調整工程と、を具備することを特徴とする。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】